(57)【要約】【課題】表紙用のデータと本文用のデータを同一ジョブとして印刷指示を行い、印刷からくるみ製本を含む後処理を行う。【解決手段】端末装置３０から送信される印刷データ内において、表紙に相当する頁データが設定入力装置１１により指定された際、まず表紙に相当する頁データを印刷し、その後本文に相当する頁データを画像形成装置１０により印刷し、印刷された表紙及び本文を用いて製本装置２０により製本を行う。【選択図】図１
2018192807.tif 000002
【特許請求の範囲】
【請求項１】
表紙頁と文書本文頁とを有する電子文書を受け付ける受付手段と、
前記表紙頁を見開きの表紙頁および見開きの裏側となる裏側表紙頁として、前記表紙頁を前記文書本体頁とともに印刷の指示をする指示手段と、
を有する文書処理装置。
【請求項２】
前記表示頁は、前記文書本文頁よりも用紙サイズが大きい請求項１に記載の文書処理装置。
【請求項３】
前記見開きの表紙頁を外側とし前記裏側表紙頁を内側として、前記文書本文頁の前記表紙頁でくるむように製本することを指示する請求項２に記載の文書処理装置。
【請求項４】
前記受付手段は、前記表紙頁の印刷設定情報を含み、前記受付手段により受け付けられた前記表紙頁の印刷設定が正しいか否か判定する判定手段をさらに有する請求項１乃至３いずれかに記載の文書処理装置。
【請求項５】
前記受付手段により受け付けられた表紙頁及び文書本文頁の情報で構成される関連付け情報を保持する保持手段と、
前記指示手段の指示結果により前記表紙頁を用いて印刷された表紙から識別情報を読み取る読取手段と、を有し、
前記関連付け情報と、前記識別情報とを比較し、前記文書本文頁が前記表紙頁と関連付けられている場合に印刷を続行するよう制御される請求項１乃至４いずれかに記載の文書処理装置。
【請求項６】
表紙頁と文書本体頁とを有する電子文書を受け付ける受付手段と、
前記表紙頁を見開きの表紙頁および見開きの裏側となる裏側表紙頁として、前記表紙頁を前記文書本体頁とともに印刷の指示をする指示手段と、
前記指示手段の指示に基づいて前記表紙頁と前記文書本文頁とを印刷する印刷手段と、を有する画像形成装置。
【請求項７】
表紙頁と文書本文頁とを有する電子文書を受け付ける受付手段と、
前記表紙頁を見開きの表紙頁および見開きの裏側となる裏側表紙頁として、前記表紙頁を前記文書本体頁とともに印刷の指示をする指示手段と、
前記指示手段の指示に基づいて前記表紙頁と前記文書本文頁とを印刷する印刷手段と、
前記印刷手段により印刷された前記表紙頁と前記文書本文頁とを製本する製本手段と、
を有する画像形成システム。
【請求項８】
前記表示頁は、前記文書本文頁よりも用紙サイズが大きい請求項７に記載の画像形成システム。
【請求項９】
前記見開きの表紙頁を外側とし前記裏側表紙頁を内側として、前記文書本文頁の前記表紙頁でくるむように製本する請求項８に記載の画像形成システム。
【請求項１０】
表紙頁と文書本文頁とを有する電子文書を受け付けるステップと、
前記表紙頁を見開きの表紙頁および見開きの裏側となる裏側表紙頁として、前記表紙頁を前記文書本文頁とともに印刷の指示をするステップと、
をコンピュータに実行させる文書処理プログラム。
【発明の詳細な説明】
【技術分野】
【０００１】
本発明は、文書処理装置、画像形成装置、画像形成システムおよび文書処理プログラムに関する。
【背景技術】
【０００２】
特許文献１は、媒体に対して、印刷装置と、製本装置と、折り装置とが順に配置されており、ジョブに、折り情報及び製本処理に関する製本情報が含まれているか否かを判定するジョブ判定手段と、ジョブ判定手段が、折り情報及び製本情報が含まれていると判定した場合には、ジョブを、印刷情報及び折り情報を含む第１のサブセットジョブと、製本情報を含む第２のサブセットジョブと、に分割するジョブ分割手段と、印刷装置及び折り装置に対し、第１のサブセットジョブに基づいて、印刷処理及び折る処理を行うよう指示した後、製本装置に対し、第２のサブセットジョブに基づいて製本処理を行うよう指示する指示手段と、を含む印刷システムを開示する。
【先行技術文献】
【特許文献】
【０００３】
【特許文献１】特開２０１３−１９３３９５号公報
【発明の概要】
【発明が解決しようとする課題】
【０００４】
本発明の目的は、表紙頁と文書本文頁を有する電子文書から、表紙頁と文書本体頁とを印刷することが可能な文書処理装置、画像形成装置、画像形成システムおよび文書処理プログラムを提供することである。
【課題を解決するための手段】
【０００５】
［文書処理装置］
請求項１に係る本発明は、表紙頁と文書本文頁とを有する電子文書を受け付ける受付手段と、前記表紙頁を見開きの表紙頁および見開きの裏側となる裏側表紙頁として、前記表紙頁を前記文書本体頁とともに印刷の指示をする指示手段と、を有する文書処理装置である。
【０００６】
請求項２に係る本発明は、前記表示頁は、前記文書本文頁よりも用紙サイズが大きい請求項１に記載の文書処理装置である。
【０００７】
請求項３に係る本発明は、前記見開きの表紙頁を外側とし前記裏側表紙頁を内側として、前記文書本文頁の前記表紙頁でくるむように製本することを指示する請求項２に記載の文書処理装置である。
【０００８】
請求項４に係る本発明は、前記受付手段は、前記表紙頁の印刷設定情報を含み、前記受付手段により受け付けられた前記表紙頁の印刷設定が正しいか否か判定する判定手段をさらに有する請求項１乃至３いずれかに記載の文書処理装置である。
【０００９】
請求項５に係る本発明は、前記受付手段により受け付けられた表紙頁及び文書本文頁の情報で構成される関連付け情報を保持する保持手段と、前記指示手段の指示結果により前記表紙頁を用いて印刷された表紙から識別情報を読み取る読取手段と、を有し、前記関連付け情報と、前記識別情報とを比較し、前記文書本文頁が前記表紙頁と関連付けられている場合に印刷を続行するよう制御される請求項１乃至４いずれかに記載の文書処理装置である。
【００１０】
［画像形成装置］
請求項６に係る本発明は、表紙頁と文書本体頁とを有する電子文書を受け付ける受付手段と、前記表紙頁を見開きの表紙頁および見開きの裏側となる裏側表紙頁として、前記表紙頁を前記文書本体頁とともに印刷の指示をする指示手段と、前記指示手段の指示に基づいて前記表紙頁と前記文書本文頁とを印刷する印刷手段と、を有する画像形成装置である。
【００１１】
[画像形成システム]
請求項７に係る本発明は、表紙頁と文書本文頁とを有する電子文書を受け付ける受付手段と、前記表紙頁を見開きの表紙頁および見開きの裏側となる裏側表紙頁として、前記表紙頁を前記文書本体頁とともに印刷の指示をする指示手段と、前記指示手段の指示に基づいて前記表紙頁と前記文書本文頁とを印刷する印刷手段と、前記印刷手段により印刷された前記表紙頁と前記文書本文頁とを製本する製本手段と、を有する画像形成システムである。
【００１２】
請求項８に係る本発明は、前記表示頁は、前記文書本文頁よりも用紙サイズが大きい請求項７に記載の画像形成システムである。
【００１３】
請求項９に係る本発明は、前記見開きの表紙頁を外側とし前記裏側表紙頁を内側として、前記文書本文頁の前記表紙頁でくるむように製本する請求項８に記載の画像形成システムである。
【００１４】
[文書処理プログラム]
請求項１０に係る本発明は、表紙頁と文書本文頁とを有する電子文書を受け付けるステップと、前記表紙頁を見開きの表紙頁および見開きの裏側となる裏側表紙頁として、前記表紙頁を前記文書本文頁とともに印刷の指示をするステップと、をコンピュータに実行させる文書処理プログラムである。
【発明の効果】
【００１５】
請求項１に係る本発明によれば、表紙頁と文書本体頁とを有する電子文書から、表紙頁
と文書本体頁とを印刷することが可能な文書処理装置を提供することができる。
【００１６】
請求項２に係る本発明によれば、表示頁が文書本文頁よりも大きな用紙サイズである文書処理装置を提供することができる。
【００１７】
請求項３に係る本発明によれば、印刷された表紙頁と文書本文頁を用いたくるみ製本をすることが可能な文書処理装置を提供することができる。
【００１８】
請求項４に係る本発明によれば、受け付けた電子文書の表紙の指定を間違えることを防止する文書処理装置を提供することができる。
【００１９】
請求項５に係る本発明によれば、受け付けた電子文書の表紙と文書本体頁とを取り違えることなく印刷する文書処理装置を提供することができる。
【００２０】
請求項６に係る本発明によれば、表紙頁と文書本体頁とを有する電子文書から、表紙頁と文書本体頁とを印刷することが可能な画像形成装置を提供することができる。
【００２１】
請求項５に係る本発明によれば、表紙頁と文書本体頁とを有する電子文書から、表紙頁
と文書本体頁とを別々に印刷し、印刷された表紙頁と文書本体頁を用いた本を製本することが可能な画像形成システムを提供することができる。
【００２２】
請求項６に係る本発明によれば、印刷された表紙頁と文書本体頁を用いた本をくるみ製本することが可能な画像形成装置を提供することができる。
【００２３】
請求項７に係る本発明によれば、印刷された表紙頁と文書本体頁を用いた本をくるみ製本することが可能な画像形成システムを提供することができる。
【００２４】
請求項８に係る本発明によれば、表示頁が文書本文頁よりも大きな用紙サイズである画像形成システムを提供することができる。
【００２５】
請求項９に係る本発明によれば、印刷された表紙頁と文書本文頁を用いたくるみ製本をすることが可能な画像形成システムを提供することができる。
【００２６】
請求項９に係る本発明によれば、表紙頁と文書本体頁とを有する電子文書から、表紙頁と文書本体頁とを印刷することが可能な文書処理プログラムを提供することができる。
【図面の簡単な説明】
【００２７】
【図１】本発明の一実施形態の画像形成システムのシステム構成を示す図である。
【図２】本発明の一実施形態の画像形成システムに用いられる印刷データの例示である。
【図３】図３（ａ）は図２（ａ）をくるみ製本する際の模式図、図３（ｂ）は図２（ｂ）及び図２（ｃ）をくるみ製本した際の模式図である。
【図４】本発明の一実施形態における画像形成装置の機能構成を示すブロック図である。
【図５】本発明の一実施形態における設定入力装置１１の機能構成を示すブロック図である。
【図６】表示部４２での表示画面の例示である。
【図７】本発明の一実施形態における製本装置２０の構成を示す図である。
【図８】本発明の一実施形態における端末装置３０のハードウェア構成を示すブロック図である。
【図９】本発明の一実施形態の画像形成システムにおいてくるみ製本を行う際の全体動作を説明するためのフローチャートである。
【図１０】図８のフローチャートにおけるステップＳ１０３で説明した表紙の印刷指示の詳細を説明するためのフローチャートである。
【図１１】本発明の一次し形態の画像形成システムにおける画像形成装置の機能構成を示す別のブロック図である。
【図１２】本発明の一実施形態の画像形成システムにおける製本装置の構成を示す別の図である。
【図１３】本発明の一実施形態の画像形成システムにおいて表紙と文書本体との関連付け処理についての詳細を説明するためのフローチャートである。
【図１４】本発明の一実施形態の画像形成システムにおいて表紙と文書本体との別の関連付け処理についての詳細を説明するためのフローチャートである。
【発明を実施するための形態】
【００２８】
以下、図面を参照して、本発明を実施するための形態を説明する。但し、以下に示す各実施形態は、本発明の技術思想を具体化するための文書処理装置、画像形成装置、画像形成システムおよび文書処理プログラムを例示するものであって、本発明をこれらに特定することを意図するものではなく、特許請求の範囲に含まれるその他の実施形態のものにも
均しく適応し得るものである。
【００２９】
図１は本発明の一実施形態の画像形成システムの構成を示すブロック図である。
本発明の一実施形態に係る文書処理プログラムを用いた画像形成システムは、図１に示されるように、ネットワーク４０により相互に接続された画像形成装置１０、製本装置２０及び端末装置３０により構成される。端末装置３０は、印刷データを生成して、ネットワーク４０経由にて生成した印刷データを画像形成装置１０に対して送信する。画像形成装置１０は、端末装置３０から送信された印刷データを受け付けて、印刷データに応じた画像を用紙上に出力する。なお、画像形成装置１０は、印刷（プリント）機能、スキャン機能、複写（コピー）機能、ファクシミリ機能等の複数の機能を有するいわゆる複合機と呼ばれる装置である。製本装置２０は、画像形成装置１０により印刷された表紙用の用紙によって、本文用の用紙をくるむ、くるみ製本を行い、一冊の本へと製本するいわゆるくるみ製本機と呼ばれる装置である。
【００３０】
図２に端末装置３０から送信される印刷データである電子文書の例を示す。印刷データ内には表紙頁及び文書本体頁が混在している。図２（ａ）は、１頁目におもて表紙の表紙頁、最終頁であるＮ頁目にうら表紙の表紙頁を有し、２頁目からＮ−１頁目が文書本体頁となっている。図２（ｂ）は、１頁目及び２頁目に見開きの表紙頁及び見開きの裏側となる表紙頁を有し、３頁目以降が文書本体頁となっている。図２（ｃ）は、図２（ｂ）における表紙頁を見開きとしてではなく、それぞれ半分ずつのデータである４頁分の表紙頁として有し、５頁目以降が文書本体頁となっている。
【００３１】
これらの印刷データが端末装置３０から送信され、画像形成装置１０により印刷され、製本装置２０により、それぞれ、図２（ａ）の印刷データは図３（ａ）のように、図２（ｂ）及び図２（ｃ）は図３（ｂ）のように製本される。
【００３２】
図２では表紙頁及び文書本体頁が混在している印刷データについて説明を行ったが、表紙頁の印刷データ及び文書本体頁の印刷データを別々のデータとして有していてもよい。この場合も同様に、端末装置３０からそれぞれの印刷データが送信され、画像形成装置１０によって印刷され、製本装置２０によって製本される。
【００３３】
本実施形態の画像形成システムにおける画像形成装置１０のハードウェア構成を図４に示す。
【００３４】
画像形成装置１０は、図４に示されるように、画像形成手段１２、画像形成御手段１３、後述する設定入力装置１１や端末装置３０との間でデータの送信及び受信を行う通信インタフェース（ＩＦ）１４を有する。これらの構成要素は、制御バス１５を介して互いに接続されている。
【００３５】
画像形成手段１２は、端末装置３０から受信した印刷データについて画像形成を行う。画像形成手段１２は、画像形成制御手段１３により制御されている。
【００３６】
また、画像形成装置１０は、表紙頁と文書本体頁とを有する印刷データの表紙頁の指定等を受け付ける設定入力装置１１を有している。図５は、設定入力装置１１の機能構成を示すブロック図であり、図６は図１における設定入力装置１１部分の拡大図であって、表示部４２に表示される画面の例示である。
【００３７】
本実施形態の設定入力装置１１は、図５に示されるように、制御部４１と、表示部４２と、通信部４３と、印刷指示部４４と、判定部４５とを備えている。
【００３８】
制御部４１は、表示部４２への表示や、通信部４３による通信、印刷指示部４４、判定部４５の制御等を行う。
【００３９】
表示部４２は、表紙頁の指定に必要な情報を使用者へと表示する。ここで、図６を用いて表示部４２の詳細を説明する。
【００４０】
表示部４２には、製本要否確認部４２１、表紙頁確認部４２２、表紙詳細設定部４２３、表紙頁指定部４２４及び印刷開始部４２５が表示される。
【００４１】
製本要否確認部４２１は、製本の要否を確認するものである。表紙頁確認部４２２は、端末装置３０から送信される印刷データ内に表紙頁が含まれているかどうかの確認をするものである。これらはどちらもチェックボックスとなっており、画像形成装置１０の使用者は、製本が必要な場合、製本要否確認部４２１へとチェックを入れ、その後、印刷データ内に表紙頁が含まれている場合、表紙頁確認部４２２へとチェックを入れる。
【００４２】
表紙詳細設定部４２３は、表示部４２に表示されている画面を、図６（ａ）から、表紙頁の詳細設定を行う画面である図６（ｂ）へと遷移させるものである。
【００４３】
表紙頁指定部４２４は、表紙詳細設定部４２３により表示部４２に表示されている画面が図６（ｂ）へと遷移した後に表示され、印刷データ内のどの頁が表紙頁に当たるものであるかを指定するものである。例えば、図２（ａ）の印刷データの場合、画像形成装置１０の使用者は「表紙頁の指定」と左に記載されたテキストボックス欄に、１及びＮを入力する。また、表紙に使用する用紙の種類や、坪量の指定も可能である。
【００４４】
表紙頁指定部４２４で頁を使用者が指定するのではなく、表紙頁確認部４２２で印刷データ内に表紙頁の存在を確認した際に、印刷データ内で用紙サイズの大きいデータを表紙頁と判定し、印刷するよう設定しておいてもよい。
【００４５】
印刷開始部４２５は、画像形成装置１０の使用者が、端末装置３０から送信された印刷データの印刷を開始するものである。
【００４６】
通信手段４３は、端末装置３０からの印刷データ等の受信や、画像形成装置１０への印刷指示の送信等を行う。
【００４７】
印刷指示部４４は、表紙頁指定部４２４で指定された表紙頁の印刷指示を先に行い、その後、文書本体頁の印刷指示を行う。
【００４８】
判定部４５は、表紙頁指定部４２４で指定された表紙頁の書式が、文書本体頁に対して適切であるかの判定を行う。具体的には、表紙頁の用紙サイズが、文書本体頁と比較して大きいか否かの判定や、表紙頁と文書本体に用いられる用紙の紙質の比較等を行う。
【００４９】
上記設定入力装置１１によって表紙頁の指定が行われ、印刷が指示された場合、端末装置３０から送信された印刷データについて印刷順序を変更し、まず表紙データの印刷を行い、その後、本文データの印刷を行う。表紙頁が印刷された用紙である表紙は画像形成装置１０の表紙用トレイ（図示省略）へと排出される。
【００５０】
表紙トレイ１１へと排出された表紙は、後述する製本装置２０のくるみ製本表紙トレイ２１へと載置され、文書本体頁が印刷された用紙である文書本体用紙は、同じく後述する製本装置２０の製本本文トレイ２２へと載置され、製本が開始される。
【００５１】
本実施形態の画像形成システムにおける製本装置２０の内部構成を図７に示す。製本装置２０はくるみ製本を行う装置であり、製本表紙トレイ２１と、製本本文トレイ２２と、糊付けユニット２３と、断裁ユニット２４と、積載トレイ２５と、を有している。
【００５２】
製本表紙トレイ２１は、画像形成装置１０により印刷された表紙を載置するトレイであり、製本本文トレイ２２は、画像形成装置１０により印刷された文書本体用紙を載置するトレイである。
【００５３】
くるみ製本表紙トレイ２１と、くるみ製本本文トレイ２２にそれぞれ表紙用紙及び本文用紙が載置され、端末装置３０からの信号の送信又は製本装置２０に取り付けられている開始釦（図示せず）を押下することにより、くるみ製本が開始される。まず、製本表紙トレイ２１に載置されている表紙が製本装置内の糊付けユニット２３へと送られ、表紙の背表紙となる位置に、製本本文トレイ２２に載置されている文書本体用紙が送られ、糊付けされる。
【００５４】
その後、糊付けされて一体となった表紙及び文書本体用紙群は断裁ユニット２４へと送られ、背表紙方向以外に設けられている余白部分を断裁し、積載トレイ２５へと製本済みの本が載置され、製本が完了する。
【００５５】
次に、本実施形態の画像形成システムにおける端末装置３０のハードウェア構成を図８に示す。
【００５６】
端末装置３０は、図８に示されるように、ＣＰＵ３１、メモリ３２、ハードディスクドライブ（ＨＤＤ）等の記憶装置３３、画像形成装置１０や製本装置２０との間でデータの送信及び受信を行う通信インタフェース（ＩＦ）３４を有する。これらの構成要素は、制御バス３５を介して互いに接続されている。
【００５７】
ＣＰＵ３１は、メモリ３２または記憶装置３３に格納された制御プログラムに基づいて所定の処理を実行して、端末装置３０の動作を制御する。
【００５８】
なお、本実施形態では、ＣＰＵ３１は、メモリ３２または記憶装置３３内に格納された制御プログラムを読み出して実行するものとして説明したが、当該プログラムをＣＤ−ＲＯＭ等の記憶媒体に格納してＣＰＵ３１に提供することも可能である。
【００５９】
[第１実施例]
表示頁と文書本体頁とを有する印刷データを用いて、くるみ製本を行う場合の画像形成装置１０における処理を、図９のフローチャートを用いて説明する。
【００６０】
まず、くるみ製本指定の有無を確認する（ステップＳ１０１）。くるみ製本指定が行われずに印刷が開始された場合、終了し、通常印刷を行う。
【００６１】
ステップＳ１０１において、くるみ製本指定が行われた場合、表紙指定の有無を確認する（ステップＳ１０２）。表紙指定が行われずに印刷が開始された場合、後述するステップＳ１０６へと進む。
【００６２】
ステップＳ１０２において、表紙指定が行われた場合、端末装置３０の印刷指示部４４により、表紙の印刷指示が行われる（ステップＳ１０３）。表紙の印刷指示についての詳細な処理を図１０のフローチャートを用いて説明する。
【００６３】
まず、表紙の詳細設定のため、設定入力装置１１の表示が、図７（ｂ）で示されるような表紙の詳細設定画面へと変更される（ステップＳ１０３１）。
【００６４】
次に、設定入力装置１１に表示されるテキストボックス内に、決められた書式に従い表紙データの頁指定を入力する（ステップＳ１０３２）。
【００６５】
そして、端末装置３０の判定部４５により、ステップＳ１０３２により入力された頁指定の書式が正しいかどうかの判定がを行われる（ステップＳ１０３３）。一般的に、本の表紙は文書本体を覆う必要があるため、表紙のサイズは文書本体の用紙サイズよりも大きい。また、文書本体を保護する必要があるため、表紙に用いられる用紙は文書本体の用紙よりも堅固なものが使用される。そのため、入力された頁指定の頁の用紙サイズや紙質と、その他の頁の用紙サイズや紙質等を比較し、判定を行う。
【００６６】
ステップＳ１０３３により頁指定の書式が誤っていると判定された場合、再度表紙データの頁指定の入力（ステップＳ１０３２）へと戻り、頁指定の書式が正しいと判定された場合、表紙の詳細設定画面を閉じ（ステップＳ１０３４）、表紙の印刷指示は終了する。
【００６７】
表紙の印刷指示（ステップＳ１０３）が終了すると、表紙の印刷を開始し、表紙の印刷が成功したかどうかの確認を行う（ステップＳ１０４）。表紙の印刷が成功した場合、印刷された表紙を製本表紙トレイ２１へと載置する（ステップＳ１０５）。これに対し、表紙の印刷が失敗した場合、ステップＳ１０３へと戻り、再度表紙の印刷指示を行う。
【００６８】
表紙が製本表紙トレイ２１へと載置されると、端末装置３０の印刷指示部４４により、くるみ製本指定と共に文書本体頁の印刷を開始し、表紙と文書本体とを用いてくるみ製本が行われ（ステップＳ１０６）、製本が完了する。
【００６９】
[第２実施例]
次に、表紙頁と文書本体頁とを有する印刷データを用いて、くるみ製本を行う場合の画像形成装置におけるその他の処理を、図１１〜図１４を用いて説明する。
【００７０】
図１１は第２実施例における画像形成装置の構成を示す図、図１２は第２実施例における製本装置の構成を示す図、図１３は第２実施例におけるくるみ製本での表紙画像読取処理を説明するためのフローチャート、図１４は第２実施例におけるくるみ製本での別の表
紙画像読取処理を説明するためのフローチャートである。なお、第１実施例と同様の構成については同一の符号を付し、説明を省略する。
【００７１】
第２実施例では端末装置３０から送信される印刷データが表紙頁と文書本体頁とで別々に送信される場合の製本処理について説明を行う。
【００７２】
画像形成装置１０Ａの機能構成は、図１１に示されるように、第１実施例での画像形成装置１０の機能構成に加え、保持手段１７、判断手段１８を有する。
【００７３】
保持手段１７は、端末装置３０から受信した印刷データの表紙頁及び文書本体頁を関連付ける関連付け情報を保持する。関連付け情報とは、表紙頁及び文書本体頁を識別するための識別子又は印刷データを用いた画像などであり、印刷を行う印刷データの表紙頁と文書本体頁が対応していることを判断することのできる情報を有するものである。
【００７４】
識別子としては、印刷データの識別子、表紙頁の識別子、あるいは文書本体頁の識別子であってもよいし、それら識別子に対して一方向性関数による処理を施した結果であるハッシュ値としてもよい。印刷データが出版物である場合は、出版物に付与されるＩＳＢＮ（国際標準図書番号）を識別子としてもよい。
【００７５】
印刷データを用いた画像としては、印刷処理に必要な変換処理を印刷データに施した画像であってもよいし、端末装置３０で確認可能な印刷データのプレビュー画像であってもよい。
【００７６】
判断手段１８は、保持手段１７に保持されている関連付け情報と、後述する表紙読取手段２６で読み取られた識別情報とを比較し、印刷された表紙と、これから印刷を行おうとしている文書本体頁が関連付けられているものであるかの判断を行う。判断の結果、文書本体と関連付けられた表紙である場合は文書本体の印刷及び製本を続行し、文書本体と関連付けられていない表紙である場合は、文書本体の印刷を中止する。
【００７７】
製本装置２０Ａは、図１２に示されるように、第１実施例での製本装置２０に加え、製本表紙トレイ２１の給紙口付近に表紙読取手段２６を有する。表紙読取手段２６は、製本する際に製本表紙トレイ２１から給紙される表紙を光学的若しくは磁気的に読み取り、表紙から識別情報を取得する。表紙読取手段２６は、製本対象となる表紙を読み取り可能な位置であれば、製本表紙トレイ２１の給紙口、製本表紙トレイ２１上でもよく、表紙の表面と裏面とを同時に読み取るために複数の表紙読取手段２６を設置しても良い。
【００７８】
識別情報は、画像形成装置１０Ａの保持手段１７に保持されている関連付け情報を用い、印刷された表紙と、これから印刷を行おうとしている文書本体頁が関連付けられているものであるかを識別するものである。識別情報は、識別子の情報を含む識別符号や、表紙頁の読取画像などである。
【００７９】
図１３のフローチャートを用い、第２実施例における製本装置２０での表紙読取処理についての詳細を説明する。
【００８０】
ステップＳ１０５で表紙が製本表紙トレイ２１へと載置されると、画像形成装置１０Ａは、端末装置３０から製本を行う文書に関連する情報である識別子を取得する（ステップＳ２０１）。
【００８１】
画像形成装置１０Ａによって印刷された表紙には、端末装置３０から送信された表紙の印刷データと共に、上記の識別子情報を含む識別符号が、画像形成装置１０Ａによって印刷されている。識別符号は、バーコードやＱＲコード（登録商標）などの機械で読取可能な符号である。印刷は、表紙読取部２６によって読取可能な箇所であれば、表紙の表面又は裏面どちらに行われていてもよい。また、識別符号は可視のインク又はトナーで印刷されてもよいし、紫外線に反応して発光する不可視のインク又はトナーで印刷されてもよいし、透明な磁気インクで印刷されてもよい。
【００８２】
次に、製本装置２０Ａは製本表紙トレイ２１に載置された表紙を送り出し、表紙読取部２６により、表紙へ印刷された識別符号を取得する（ステップＳ２０２）。画像形成装置１０Ａの判断手段１８は、製本を行う文書の識別子と、表紙から取得した識別符号によって得られる識別子とを比較し、表紙と本文が関連付けられているか否かを判断する（ステップＳ２０３）。
【００８３】
識別子が一致した場合、表紙と本文が関連付けられていると判断し、本文の印刷及び製本処理を続行し（ステップＳ２０４）、識別子が不一致だった場合、表紙と本文が関連付けられていないと判断し、本文の印刷及び製本処理を停止する（ステップＳ２０５）。
【００８４】
ステップＳ２０５で本文の印刷及び製本処理を停止した場合、警告音を発したり、表示部４２へ印刷及び製本処理を停止した旨を表示したりするよう制御してもよい。
【００８５】
次に、図１４のフローチャートを用い、第２実施例における製本装置２０でのその他の表紙読取処理についての詳細を説明する。
【００８６】
ステップＳ１０５で表紙が製本表紙トレイ２１へと載置されると、画像形成装置１０Ａは、端末装置３０から製本を行う文書における表紙の印刷用画像を取得する（ステップＳ３０１）。表紙の印刷用画像とは、印刷処理に必要な変換処理を印刷データに施した画像や、端末装置３０で確認可能な印刷データのプレビュー画像などである。
【００８７】
次に、製本装置２０Ａで製本表紙トレイ２１に載置された表紙を送り出し、表紙読取部２６で表紙の読取画像を取得する（ステップＳ３０２）。画像形成装置１０Ａの判断手段１８は、表紙の印刷用画像と、表紙の読取画像との類似度を算出する（ステップＳ３０３）。画像の比較には、ヒストグラム抽出法や、キーポイントマッチング法などの既知の画像比較技術により算出される類似度を用いる。
【００８８】
画像形成装置１０Ａの判断手段１８は、ステップＳ３０３で算出された類似度が所定の閾値と比較し（ステップＳ３０４）、閾値以上である場合、表紙と本文が関連付けられていると判断して本文の印刷及び製本処理を続行し（ステップＳ３０５）、閾値未満である場合、表紙と本文が関連付けられていないと判断し、本文の印刷及び製本処理を停止する（ステップＳ３０６）。
【００８９】
本実施形態においてはくるみ製本についての説明を行ったが、くるみ製本だけではなく、平綴じ製本、中綴じ製本、リング綴じ製本など、その他の製本処理についても同様に、一連の操作で製本を行うことが可能である。
【００９０】
なお、本発明のプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
【００９１】
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
【００９２】
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
【００９３】
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
【００９４】
さらに、前記のプログラムは、他のプログラムの一部分であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００９５】
１０    画像形成装置
１１    設定入力装置
２０    製本装置
３０    端末装置
４０    ネットワーク
【図１】
2018192807.tif 000003
【図２】
2018192807.tif 000004
【図３】
2018192807.tif 000005
【図４】
2018192807.tif 000006
【図５】
2018192807.tif 000007
【図６】
2018192807.tif 000008
【図７】
2018192807.tif 000009
【図８】
2018192807.tif 000010
【図９】
2018192807.tif 000011
【図１０】
2018192807.tif 000012
【図１１】
2018192807.tif 000013
【図１２】
2018192807.tif 000014
【図１３】
2018192807.tif 000015
【図１４】
2018192807.tif 000016